(57)【要約】      （修正有）【課題】スナップボタンと面ファスナーを用い、保護者が着替えさせ易くした乳児服を提供する。【解決手段】前面で縦向き帯状に前合わせ部と持出し部とを左前に重ねて留める乳児用服１０に、前記前合わせ部の上部には、上下方向直線上の等間隔となる三箇所に、内側に向いたスナップボタン雌１３ｂを設ける。前記前合わせ部の下部には、上下方向直線上の等間隔となる三箇所に、内側に向けた方形の面ファスナー雌１４ｂを縫いつける。最下段の前記スナップボタン雌と、最上段の上記面ファスナー雌との間隔は、個々の面ファスナー雌間の間隔と同じであり、前記持出し部には、相対する前記スナップボタン雌のそれぞれに対応する位置に、外側に向けたスナップボタン雄２３を設け、相対する前記面ファスナー雌のそれぞれに対応する位置に、外側に向けた面ファスナー雄２４を縫いつける。【選択図】図２
0003173373.tif 000002
【実用新案登録請求の範囲】
【請求項１】
前面で縦向き帯状に前合わせ部と持出し部とを左前に重ねて留める乳児用服であって、
前記前合わせ部の上部には、上下方向直線上の等間隔となる三箇所に、内側に向いたスナップボタン雌を設け、
前記前合わせ部の下部には、上下方向直線上の等間隔となる三箇所に、内側に向けた方形の面ファスナー雌を縫いつけ、上記前合わせ部外側のその面ファスナー雌を取り付けた位置には縫いつけるための縫い糸が方形を描いて露出しており、
最下段の前記スナップボタン雌と、最上段の上記面ファスナー雌との間隔は、個々の面ファスナー雌間の間隔と同じであり、
前記持出し部には、相対する前記スナップボタン雌のそれぞれに対応する位置に、外側に向けたスナップボタン雄を設け、相対する前記面ファスナー雌のそれぞれに対応する位置に、外側に向けた面ファスナー雄を縫いつけた、乳児用服。
【考案の詳細な説明】
【技術分野】
【０００１】
この考案は乳児用服に関する。
【背景技術】
【０００２】
乳児向けの服は、保護者が寝ている子供をできるだけ泣かさずに着替えさせたかったり、速やかに着替えさせたかったりといった、幼児以上向けの服と違った利便性が求められるため、その構成やボタンなどの配置には種種の検討がされている。
【考案の概要】
【考案が解決しようとする課題】
【０００３】
その中でも、前面で合わせる型の乳児用服は、乳児の手で容易にはだけたりしないことが求められるとともに、保護者が着替えさせるときには前合わせの取り付け及び取り外しを容易にすることが求められる。また、服の前面にボタンなどの留め具が大きく場所を取ってしまうと、せっかく保護者がデザインに工夫を凝らした服を買ってきても、留め具の印象が強くなりすぎて、デザインの良さを阻害してしまうおそれがあった。
【０００４】
そこでこの考案は、前面のデザインを阻害することなく、容易に脱がしたり着せたりすることが可能な乳児用服を提供することを目的とする。
【課題を解決するための手段】
【０００５】
この考案は、前面で縦向き帯状に前合わせ部と持出し部とを左前に重ねて留める乳児用服について、
前記前合わせ部の上部には、上下方向直線上の等間隔となる三箇所に、内側に向けたスナップボタン雌を設け、
前記前合わせ部の下部には、上下方向直線上の等間隔となる三箇所に、内側に向けた方形の面ファスナー雌を縫いつけ、その面ファスナー雌を取り付けた位置の外側面には縫いつけるための縫い糸が破線にて方形を描くように露出させ、
最下段の前記スナップボタン雌と、最上段の上記面ファスナー雌との間隔は、個々の面ファスナー雌間の間隔と同じであるように位置づけ、
前記持出し部には、相対する前記スナップボタン雌のそれぞれに対応する位置に、外側に向けたスナップボタン雄を設け、相対する前記面ファスナー雌のそれぞれに対応する位置に、外側に向けた面ファスナー雄を縫いつけるものとすることで、上記の課題を解決したのである。
【考案の効果】
【０００６】
この考案にかかる乳児用服は、スナップボタンの円形と面ファスナーの方形との組み合わせによって、前面にデザイン性を発揮しながら、保護者は取り付け及び取り外しが容易であり、かつ、乳児の動きによっては容易には脱げないものとなる。
【図面の簡単な説明】
【０００７】
【図１】この考案にかかる実施形態の乳児用服の正面図
【図２】この考案にかかる実施形態の乳児用服の前身頃を開いた状態の正面図
【図３】前身頃を開いた状態の正面拡大図
【図４】前身頃を閉じた状態の正面拡大図
【図５】後身頃の例を示す背面図
【考案を実施するための形態】
【０００８】
以下、この考案の具体的形態について説明する。
図１はこの考案にかかる乳児用服１０の正面図であり、図２はその前身頃を開いた状態の正面図である。
【０００９】
前合わせ部１１と持出し部２１とは前面で縦向き帯状に左前で重ね合わせる。この帯状部分の上部３箇所にスナップボタンを、下部３箇所に面ファスナーを取り付けることで、着脱可能としている。
【００１０】
上記スナップボタンと上記面ファスナーの具体的な配置は次の通りである。前合わせ部１１の上部には、キャップが円形のスナップボタン雌１３を三箇所に取り付ける。これらの取り付け箇所は前合わせ部１１の中央一直線上に並んでおり、上段及び下段のボタンと中段のボタンとの間隔は等しい。ボタンの向きは当然に、内側に嵌合部（１３ｂ）を、外側にキャップ（１３ａ）を向けている。
【００１１】
上記持出し部２１の上部には、相対する上記の前合わせ部１１に設けられた三箇所のスナップボタン雌１３にそれぞれ対応する三箇所に、スナップボタン雄２３を、嵌合部を外向きに取り付けてある。すなわち、スナップボタン雄２３も持ち出し部２１の中央一直線上に、等間隔に並ぶ。
【００１２】
前合わせ部１１の下部には、内側に方形の面ファスナー雌１４を三箇所に縫いつける。これらの取り付け位置は、前合わせ部１１の中央一直線上に並んでおり、上記のスナップボタン雌１３と同一直線上に並ぶ。これにより、前合わせ部１１の前面には、面ファスナー雌を縫いつけるための縫い目が、方形の破線となって現れている。
【００１３】
上記持出し部２１の下部には、相対する上記の前合わせ部１１に設けられた三箇所の面ファスナー雌１４にそれぞれ対応する三箇所に、面ファスナー雄２４を、取り付け面を外側に向けて取り付けてある。すなわち、面ファスナー雄２４も持ち出し部２１の中央一直線上に、等間隔に並ぶ。
【００１４】
前身頃を開いた状態での前合わせ部１１及び持出し部２１の拡大図を図３に、スナップボタンと面ファスナーを合わせた際の拡大図を図４に示す。最下段のスナップボタンと、最上段の面ファスナーとの間隔は、個々の面ファスナー間の間隔と同じであり、スナップボタンと面ファスナーは一直線上に位置する。
【００１５】
この考案にかかる乳児用服の実施形態は、前合わせ部１１と持出し部２１以外の構造は特に限定されるものではない。後身頃の外観例を図５に示す。
【符号の説明】
【００１６】
１０  乳児用服
１１  前合わせ部
１３  スナップボタン雌
１３ａ  スナップボタン雌（キャップ）
１３ｂ  スナップボタン雌（嵌合部）
１４  面ファスナー雌
１４ａ  面ファスナー雌取り付け縫い目
１４ｂ  面ファスナー雌面
２１  持出し部
２３  スナップボタン雄（嵌合部）
２４  面ファスナー雄
【図１】
0003173373.tif 000003
【図２】
0003173373.tif 000004
【図３】
0003173373.tif 000005
【図４】
0003173373.tif 000006
【図５】
0003173373.tif 000007